(57)【要約】  次の一般式（Ｉ）：［式中、Ｒｆは、ＣＦ３−又はＣＦ３ＣＦ２−である］によって表される全フッ素化１−アルコキシプロペン化合物を含む誘電性流体（例えば、誘電性組成物）。このような誘電性流体は、様々な電気デバイスにおいて有用であり得る。2021509520.tif 000014
2021509520.tif 000002
【特許請求の範囲】
【請求項１】
次の一般式（Ｉ）：
【化１】
2021509520.tif 000012
［式中、Ｒｆは、ＣＦ３−又はＣＦ３ＣＦ２−である］によって表される全フッ素化１−アルコキシプロペン化合物を含む誘電性流体を含む、電気デバイス。
【請求項２】
リザーバを更に備え、前記リザーバが、液体形態の前記誘電性流体の所定量を収容する、請求項１に記載の電気デバイス。
【請求項３】
前記電気デバイスが、ガス絶縁回路遮断器、電流遮断設備、ガス絶縁送電線、ガス絶縁変圧器、及びガス絶縁サブステーションからなる群から選択される、請求項１又は２に記載の電気デバイス。
【請求項４】
１つ以上の二次誘電性ガスを更に含む、請求項１〜３のいずれか一項に記載の電気デバイス。
【請求項５】
１つ以上の二次誘電性ガスが、窒素、二酸化炭素、亜酸化窒素、ヘリウム、アルゴン、酸素、及びこれらの組み合わせから選択される、請求項４に記載の電気デバイス。
【請求項６】
１つ以上の二次誘電性ガスが、ペルフルオロアルカン、フッ素化オレフィン、フッ素化ケトン、フッ素化オキシラン、フッ素化ニトリル、フッ素化ニトロアルカン、フッ素化ジオン、及びこれらの組み合わせから選択される、請求項４に記載の電気デバイス。
【請求項７】
前記式（Ｉ）の化合物が、トランス配置、シス配置、又はこれらの混合である、請求項１〜６のいずれか一項に記載の電気デバイス。
【請求項８】
前記式（Ｉ）の化合物が、ＣＦ３−Ｏ−ＣＦ＝ＣＦ−ＣＦ３である、請求項１〜７のいずれか一項に記載の電気デバイス。
【請求項９】
前記式（Ｉ）の化合物が、ＣＦ３ＣＦ２−Ｏ−ＣＦ＝ＣＦ−ＣＦ３である、請求項１〜７のいずれか一項に記載の電気デバイス。
【請求項１０】
次の一般式（Ｉ）：
【化２】
2021509520.tif 000013
［式中、Ｒｆは、ＣＦ３−又はＣＦ３ＣＦ２−である］によって表される全フッ素化１−アルコキシプロペン化合物と、
１つ以上の二次誘電性ガスと、を含む、誘電性流体。
【請求項１１】
前記１つ以上の二次誘電性ガスが、２５℃おいて、蒸気圧が少なくとも７０ｋＰａであるような量で使用される、請求項１０に記載の誘電性流体。
【請求項１２】
二次誘電性ガスと、式（Ｉ）によって表される全フッ素化１−アルコキシプロペン化合物との蒸気圧の比が、少なくとも２．５：１である、請求項１０又は１１に記載の誘電性流体。
【請求項１３】
前記１つ以上の二次誘電性ガスが、窒素、二酸化炭素、亜酸化窒素、ヘリウム、アルゴン、酸素、及びこれらの組み合わせから選択される、請求項１０〜１２のいずれか一項に記載の誘電性流体。
【請求項１４】
前記１つ以上の二次誘電性ガスが、ペルフルオロアルカン、フッ素化オレフィン、フッ素化ケトン、フッ素化オキシラン、フッ素化ニトリル、フッ素化ニトロアルカン、フッ素化ジオン、及びこれらの組み合わせから選択される、請求項１０〜１３のいずれか一項に記載の誘電性流体。
【請求項１５】
前記式（Ｉ）の化合物が、トランス配置、シス配置、又はこれらの混合である、請求項１０〜１４のいずれか一項に記載の誘電性流体。
【発明の詳細な説明】
【背景技術】
【０００１】
（関連出願の相互参照）
本出願は、２０１７年１２月１３日に出願された米国特許仮出願第６２／５９８２９４号の優先権を主張するものであり、その開示の全体が参照により本明細書に組み込まれる。
【０００２】
（背景技術）
誘電性ガスは、例えば、コンデンサ、変圧器、電気ケーブル又は電気バス、回路遮断器、及び開閉装置などの様々な電気デバイスで使用される。このような電気デバイスでは、誘電性ガスは多くの場合、絶縁耐力（dielectric strength）（ＤＳ）がより高いため、電気絶縁体として空気の代わりに使用される。このような誘電性ガスは、空気充填された電気デバイスと比較して、より高い電力密度を可能にする。
【０００３】
六フッ化硫黄（ＳＦ６）は、多くの電気的用途において主な固定誘電性ガスとなっている。ＳＦ６は、有利には、無毒で、不燃性で、取り扱いが容易であり、有用な動作温度範囲を有し、優れた誘電性及びアーク遮断特性を有する。変圧器内では、クーラントとしても作用する。変圧器内の送風器は多くの場合、巻線からの熱伝達を助けてガスを循環させる。しかしながら、ＳＦ６には、その３２００年の大気寿命、及び二酸化炭素の地球温暖化係数の約２２，２００倍の地球温暖化係数（ＧＷＰ）という懸念事項がある。
【０００４】
可能性のある代用物として、ＳＦ６と、窒素、ヘリウム、又は高圧窒素との混合物が提案されている。また、ペルフルオロカーボン（ＰＦＣ）ガスは、窒素又はヘリウムと混合され得ることも確認されているが、ＰＦＣガスはまた、高いＧＷＰ値を有するため、かかる戦略の環境影響の減少の可能性は限られている。一部の他の代用混合物は、アーク放電中の遊離炭素の遊離、アーク放電中又はアーク放電後の毒性の増加、並びに貯蔵、回収、及びリサイクル中のガスの取り扱いの困難さの増加という問題がある。したがって、このような誘電性ガス及びこれらの混合物の他の代用物が望まれる。
【発明の概要】
【０００５】
本開示は、１つ以上の全フッ素化１−アルコキシプロペン化合物を含む組成物、及びそのような組成物の使用方法を提供する。
【０００６】
いくつかの実施形態において、トランス配置又はシス配置であり得る、次の一般式（Ｉ）：
【化１】
2021509520.tif 000003
［式中、Ｒｆは、ＣＦ３−又はＣＦ３ＣＦ２−である］によって表される全フッ素化１−アルコキシプロペン化合物を含む組成物が提供される。このような組成物は、誘電性組成物又は誘電性流体と称される場合がある。
【０００７】
いくつかの実施形態において、このような誘電性流体は、１つ以上の二次誘電性ガスを更に含んでもよい。
【０００８】
いくつかの実施形態において、式（Ｉ）の全フッ素化１−アルコキシプロペン化合物と、所望により１つ以上の二次誘電性ガスと、を含む、誘電性流体を含む電気デバイスが提供される。いくつかの実施形態において、このような誘電性流体は、絶縁体である。
【０００９】
本明細書で使用されるとき、用語「誘電性流体」は、液体誘電体及びガス状誘電体の両方を包含する。流体、気体又は液体の物理的状態は、それが使用される電気デバイスの温度動作条件及び圧力動作条件で決まる。
【００１０】
本明細書において、用語「含む（comprises）」及びその変化形は、これらの用語が明細書及び特許請求の範囲に記載されている場合、限定的な意味を有するものではない。このような用語は、記載されたある１つの工程若しくは要素、又は複数の工程若しくは要素の群が含まれることを示唆するが、いかなる他の工程若しくは要素、又は複数の工程若しくは要素の群も排除されないことを示唆するものと理解される。「からなる」により、この語句「からなる」に続くいかなるものも含み、これらに限定することを意味する。したがって、語句「からなる」は、列挙された要素が必要又は必須であり、他の要素が存在し得ないことを示す。「から本質的になる」により、この語句の後に列挙されるいかなる要素も含み、これらの列挙された要素に関して本開示で特定した作用若しくは機能に干渉又は寄与しない他の要素に限定されることを意味する。したがって、語句「から本質的になる」は、列挙された要素が必要又は必須であるが、他の要素は任意に含まれ、列挙された要素の作用若しくは機能に実質的に影響を及ぼすかどうかに応じて存在してもよい又は存在しなくてもよいことを示す。オープンエンド言語（例えば、「を含む」とその派生物）で本明細書に記載される要素又は要素の組み合わせのいずれかは、クローズドエンド言語（例えば、「から構成される」とその派生物）及び部分的クローズドエンド言語（例えば、「本質的に構成される」とその派生物）で更に記載されると考えられる。
【００１１】
「好ましい（preferred）」及び「好ましくは（preferably）」という言葉は、一定の状況下で一定の利益を提供できる、本開示の実施形態を指す。しかしながら、同一又は他の状況下では、他の請求項もまた好ましい場合がある。更に、１つ以上の好ましい請求項についての記述は、他の請求項が有用でないことを意味するのではなく、かつ他の請求項を本開示の範囲から除外することを意図するものでもない。
【００１２】
本出願において、「ａ」、「ａｎ」、及び「ｔｈｅ」などの用語は、１つの実体のみを指すことを意図したものではなく、その説明のために具体的な例が使用され得る一般的な部類を含む。用語「ａ」、「ａｎ」、及び「ｔｈｅ」は、用語「少なくとも１つ」と互換的に用いられる。列挙に後続する「〜のうちの少なくとも１つ」及び「〜のうちの少なくとも１つを含む」という語句は、列挙内の項目のうちのいずれか１つ、及び、列挙内の２つ以上の項目のいずれかの組み合わせを指す。
【００１３】
本明細書で使用されるとき、用語「又は」は、内容がそうでない旨を特に明示しない限り、概して「及び／又は」を含む通常の意味で使用される。
【００１４】
用語「及び／又は」は、１つ若しくは全ての列挙された要素、又は列挙された要素のうちの任意の２つ以上の組み合わせを意味する。
【００１５】
更に本明細書では、全ての数は用語「約」によって修飾されるものとみなされ、特定の実施形態において、好ましくは、用語「正確に」によって修飾されるものとみなされる。測定された量に関して本明細書で使用されるとき、用語「約」は、当業者によって、測定を行い、測定の目的及び用いた測定機器の精度に見合う程度の注意を払って予想され得る、測定された量のばらつきを指す。本明細書において、数字の前の「最大で」（例えば、最大で５０）は、その数（例えば、５０）を含む。
【００１６】
更に本明細書では、端点による数値範囲の記載は、その範囲内に包含される全ての数及びその端点を含む（例えば、１〜５は、１、１．５、２、２．７５、３、３．８０、４、５などを含む）。
【００１７】
本明細書で使用されるとき、用語「室温」は、約２０℃〜約２５℃又は約２２℃〜約２５℃の温度を指す。
【００１８】
用語「の範囲（in the range）」又は「の範囲内（within a range）」（及び類似の記載）は、その記載された範囲の端点を含む。
【００１９】
本明細書に開示の代替要素又は実施形態の群分けは、限定されるものと解釈するべきではない。各群のメンバーは、個々に、又は、その群の他のメンバー若しくはその群の中に見出される他の要素との任意の組合せで、言及及び特許請求することができる。便宜上及び／又は特許性の理由から、群の１つ以上のメンバーが群に含まれ得るか、又は、群から削除され得ることが見込まれる。任意のこのような包含又は削除が生じた場合、本明細書は、本明細書において改変された群を含むものとみなされ、したがって、添付の特許請求の範囲で用いられた全てのマーカッシュ群の記載内容を実現する。
【００２０】
本明細書を通しての「一実施形態（one embodiment）」、「実施形態（an embodiment）」、「特定の実施形態（certain embodiments）」、又は「いくつかの実施形態（some embodiments）」などの言及は、実施形態に関して記載された特定の特徴、構成、組成、又は特性が、本発明の少なくとも１つの実施形態に含まれていることを意味する。したがって、本明細書を通して様々な箇所にこのような語句が記載されている場合、必ずしも、本発明の同一の実施形態を指しているわけではない。更に、特定の特徴、構成、組成、又は特性は、１つ以上の実施形態において任意の好適な方法で組み合わせてもよい。
【００２１】
本開示の上記の「発明の概要」は、本発明の各開示された実施形態又は全ての実施態様の記載を意図するものではない。以下の説明は、例示的な実施形態をより具体的に例示する。本出願を通し、数箇所において、例の列挙を通して指針が提供されており、これらの例は、様々な組み合わせで用いることができる。いずれの場合にも、記載された列挙項目は、代表的な群としての役割のみを果たすものであり、排他的な列挙として解釈されるべきではない。したがって、本開示の範囲は、本明細書に記載の特定の例示的な構造に限定されるべきではなく、少なくとも特許請求の範囲の文言によって説明される構造、及びこれらの構造の同等物にまで拡大する。この明細書において選択肢として積極的に記載されている要素のいずれも、請求項に明示的に含めてもよいし、又は請求項から除外してもよいし、必要に応じて組み合わせてもよい。様々な理論及び可能な機構が本明細書で説明可能であるが、いかなる場合であっても、このような説明は、特許請求可能な主題を限定するものではない。
【図面の簡単な説明】
【００２２】
【図１】本開示による、全フッ素化１−アルコキシプロペン化合物を含む誘電性流体を含む電気ハードウェアの図である。
【発明を実施するための形態】
【００２３】
コンデンサなどの電気デバイスでは、誘電性流体は多くの場合、それらの誘電率（Ｋ）が低く、絶縁耐力（ＤＳ）が高いため、空気の代わりに使用される。このタイプの一部のコンデンサは、金属箔導体及び紙又はポリマーフィルムの固体誘電性シートの交互の層を含む。他のコンデンサは、金属箔導体及び誘電性フィルムを中心コアの周りに同心円状に巻き付けることによって構築される。この後者のタイプのコンデンサは、「フィルム巻き」コンデンサと称される。誘電性流体は多くの場合、それらの誘電率が低く、絶縁耐力が高いため、誘電性フィルムを含浸させるために使用される。このような誘電性流体は、空気又は他のガスが充填された電気デバイスと比較して、より多くのエネルギーをコンデンサ内に貯蔵する（より高い静電容量）ことを可能にする。
【００２４】
本開示は、例示的な実施形態において、トランス配置又はシス配置であり得る、次の一般式（Ｉ）：
【化２】
2021509520.tif 000004
［式中、Ｒｆは、ＣＦ３−又はＣＦ３ＣＦ２−である］によって表される全フッ素化１−アルコキシプロペン化合物を誘電性流体として使用することを目的とする。
【００２５】
いくつかの実施形態において、式（Ｉ）−ＣＦ３−Ｏ−ＣＦ＝ＣＦ−ＣＦ３及びＣＦ３ＣＦ２−Ｏ−ＣＦ＝ＣＦ−ＣＦ３−の化合物は、それらが収容されるデバイスの動作条件において、気相、液相、又はこれらの組み合わせである。本開示の誘電性流体は、電気デバイスにおいて有用であり得る。
【００２６】
特定の実施形態において、式（Ｉ）の化合物の混合物が使用される。混合物の特定の実施形態において、化合物の少なくとも一部はトランス配置であり、化合物の少なくとも一部はシス配置である。ＣＦ３−Ｏ−ＣＦ＝ＣＦ−ＣＦ３の特定の実施形態において、少なくとも一部はシス配置であり、少なくとも一部はトランス配置である。ＣＦ３ＣＦ２−Ｏ−ＣＦ＝ＣＦ−ＣＦ３の特定の実施形態において、少なくとも一部はシス配置であり、少なくとも一部はトランス配置である。
【００２７】
式（Ｉ）の全フッ素化１−アルコキシプロペン化合物は、ルイス酸と、次の一般式（ＩＩ）：
【化３】
2021509520.tif 000005
［式中、Ｒｆは、式（Ｉ）に記載されるとおりである］によって表されるペルフルオロアルキルエーテル化合物との反応から調製可能である。ルイス酸の例としては、ＴｉＦ４、ＺｒＦ４、ＮｂＦ５、ＴａＦ５、ＢＦ３、ＳｂＦ５、ＡＣＦ（塩化フッ化アルミニウム）、ＳｂＣｌ２Ｆ３、ＳｂＣｌ４Ｆ、ＨＳｂＦ６、ＳｂＣｌ５、ＡｌＣｌ３、及びこれらの混合物が挙げられる。このような調製反応の例示的な条件を実施例の項に示す。
【００２８】
本開示は、式（Ｉ）によって表される全フッ素化１−アルコキシプロペン化合物を含む誘電性流体を含む電気デバイスを更に提供する。いくつかの実施形態において、本開示は、１つ以上の式（Ｉ）によって表される全フッ素化１−アルコキシプロペン化合物と１つ以上の二次誘電性ガスとの混合物を含む誘電性流体を更に提供する。
【００２９】
本開示の式（Ｉ）によって表される全フッ素化１−アルコキシプロペン化合物は、有利には、広範な動作温度及び動作圧力を有し、熱的及び化学的に安定であり、所与の分圧でＳＦ６よりも絶縁耐力及び熱伝達効率が高く、ＳＦ６よりも地球温暖化係数（ＧＷＰ）が低い。加えて、本開示の式（Ｉ）によって表される全フッ素化１−アルコキシプロペン化合物は、毒性が驚くほど低い。式（Ｉ）によって表される全フッ素化１−アルコキシプロペン化合物は、概して、２０ｋＰａ（キロパスカル）の動作圧力において、及びそれらを収容する電気デバイスの動作温度において、少なくとも５０ｋＶ／インチ（キロボルト／インチ）の絶縁耐力を有する。
【００３０】
本明細書で使用されるとき、地球温暖化係数「ＧＷＰ」は、化合物の構造に基づく化合物の温暖化係数の相対的尺度である。化合物のＧＷＰは、１９９０年に気候変動に関する政府間パネル（ＩＰＣＣ）によって規定され、２００７年に改訂されており、特定の積分期間（ＩＴＨ）にわたる、１キログラムのＣＯ２放出による温暖化に対する、１キログラムの化合物放出による温暖化として計算される。
【数１】
2021509520.tif 000006
この式において、ａは、大気中のある化合物の単位質量増加当たりの放射強制力（その化合物のＩＲ吸光度による大気中の放射線束の変化）であり、Ｃは化合物の大気濃度であり、τは化合物の大気寿命であり、ｔは時間であり、ｉは対象の化合物である。
【００３１】
一般的に許容されるＩＴＨは、短期間の効果（２０年間）と長期間の効果（５００年間以上）との間の折衷点を表す１００年間である。大気中の有機化合物ｉの濃度は、擬一次速度論（すなわち、指数関数的減衰）に従うと仮定される。同じ時間間隔のＣＯ２の濃度は、大気からのＣＯ２の交換及び除去に関する、より複雑なモデルを組み込む（Ｂｅｒｎ炭素循環モデル）。
【００３２】
下層大気中での分解により、式（Ｉ）によって表される全フッ素化１−アルコキシプロペン化合物は、ＳＦ６と比較して、寿命が短く、地球温暖化への影響が少ないだろう。式（Ｉ）によって表される全フッ素化１−アルコキシプロペンのＧＷＰは、５００未満、２５０未満、１００未満、５０未満、又は更には２０未満であり得る。誘電性能特性に加えて、式（Ｉ）によって表される全フッ素化１−アルコキシプロペン化合物は、ＧＷＰが低く、及びそれらの毒性が比較的低いため、誘電性流体としての使用に十分に適している。
【００３３】
有利には、本開示の誘電性流体は、高い耐電圧を有し、これは、高い破壊電圧としても説明される。概して、（特定の周波数での）「破壊電圧」は、流体誘電体の壊滅的な破損を誘発する流体に印加される電圧を指し、電流が流体を通って伝導することを可能にする。したがって、本開示の流体誘電体は、高電圧下で機能することができる。流体誘電体はまた、低い損失係数（すなわち、コンデンサなどの電気デバイスから熱として失われる電気エネルギーの量）を呈することができる。
【００３４】
いくつかの実施形態において、液体誘電体として使用される場合、式（Ｉ）の全フッ素化１−アルコキシプロペン化合物は、いずれか又は両方が構成要素として使用される電気デバイスの動作温度範囲を包含する液相範囲を有する。
【００３５】
いくつかの実施形態において、式（Ｉ）によって表される全フッ素化１−アルコキシプロペン化合物は、誘電性構成要素として使用される電気デバイスの動作温度範囲を包含する気相範囲を有する。例えば、これらの化合物は、０℃〜３５℃の範囲の沸点を有する。コンデンサ、変圧器、回路遮断器、及びガス絶縁送電線などの多くの電気デバイスは、３０℃以上の温度で動作し得る。
【００３６】
式（Ｉ）によって表される全フッ素化１−アルコキシプロペン化合物は、それらを収容する電気デバイスの動作温度において、少なくとも２０ｋＰａの蒸気圧を有する。
【００３７】
更に、式（Ｉ）によって表される全フッ素化１−アルコキシプロペン化合物は、２０ｋＰａの電気デバイスにおける動作圧力において、少なくとも５０ｋＶ／インチの絶縁耐力を有する。より具体的には、式（Ｉ）によって表される全フッ素化１−アルコキシプロペン化合物は、デバイスの動作温度及び動作圧力において、少なくとも８０ｋＶ／インチの絶縁耐力を有する。
【００３８】
いくつかの実施形態において、式（Ｉ）によって表される全フッ素化１−アルコキシプロペン化合物は、より高い蒸気圧を有する１つ以上の二次誘電性ガスと組み合わされ得る。いくつかの実施形態において、１つ以上の二次誘電性ガスは、２５℃又は電気デバイスの動作温度において、蒸気圧が少なくとも７０ｋＰａであるような量で使用される。
【００３９】
いくつかの実施形態において、式（Ｉ）によって表される全フッ素化１−アルコキシプロペン化合物は、より低い蒸気圧を有する１つ以上の二次誘電性ガスと組み合わされ得る。
【００４０】
いくつかの実施形態において、式（Ｉ）によって表される全フッ素化１−アルコキシプロペン化合物は、５０モル％以上の混合物を含む１つ以上の二次誘電性ガスと組み合わされ得る。
【００４１】
これらの二次誘電性ガスは、典型的には、０℃未満の沸点、ゼロのオゾン層破壊係数、ＳＦ６の地球温暖化係数（約２２，２００）よりも低い地球温暖化係数を有し、化学的及び熱的に安定である。これらは、凝縮性ガス又は非凝縮性ガスであってもよい。このような二次誘電性ガスの組み合わせは、必要に応じて使用することができる。
【００４２】
いくつかの実施形態において、二次誘電性ガスは、１つ以上のフッ素化有機化合物を含む。このようなフッ素化有機化合物としては、例えば、１〜４個の炭素原子を有するものなどのペルフルオロアルカン；ＣＦ３ＣＨ＝ＣＨＣＦ３、ＣＦ３ＣＨ＝ＣＨＣｌ、ＣＦ３ＣＦ＝ＣＦＣＦ３、ＣＦ３ＣＦ＝ＣＨ２、ＣＦ３ＣＨ＝ＣＦＨ、ＣＦ３ＣＦ＝ＣＦＨ、ＣＦ３ＣＨ＝ＣＦ２、又はＨＣＦ２ＣＦ＝ＣＦ２などのフッ素化オレフィン；ＣＦ３Ｃ（Ｏ）ＣＦ（ＣＦ３）２、ＣＦ３ＣＦ２Ｃ（Ｏ）ＣＦ（ＣＦ３）２、ＣＦ３ＣＦ２ＣＦ２Ｃ（Ｏ）ＣＦ（ＣＦ３）２、又は（ＣＦ３）２ＣＦＣ（Ｏ）ＣＦ（ＣＦ３）２などのフッ素化ケトン；（ＣＦ３）２ＣＦＣＮなどのフッ素化ニトリル；ＣＦ３ＣＦ２ＮＯ２などのフッ素化ニトロアルカン；ＣＦ３Ｃ（Ｏ）Ｃ（Ｏ）ＣＦ３などのフッ素化ジオン；国際公開第２０１２／１０２９１５号（３Ｍ  Ｃｏｍｐａｎｙ）に記載のようなフッ素化オキシランが挙げられる。
【００４３】
いくつかの実施形態において、二次誘電性ガスは、窒素、二酸化炭素、亜酸化窒素（Ｎ２Ｏ）、ヘリウム、アルゴン、酸素、及びこれらの組み合わせ（例えば、空気）の群から選択される１つ以上のガスを含む。
【００４４】
本明細書に記載の誘電性流体のいくつかの実施形態において、式（Ｉ）によって表される全フッ素化１−アルコキシプロペン化合物は、誘電性流体の混合物が、ＳＦ６単独の地球温暖化係数よりも低い地球温暖化係数を有するように、ＳＦ６と組み合わされ得る。
【００４５】
いくつかの実施形態において、二次誘電性ガスと、式（Ｉ）によって表される全フッ素化１−アルコキシプロペン化合物との蒸気圧の比は、少なくとも２．５：１、特に少なくとも５：１、より具体的には少なくとも約１０：１である。
【００４６】
式（Ｉ）によって表される全フッ素化１−アルコキシプロペン化合物は、気相における、電気絶縁に、並びに電気エネルギーの送電及び配電に使用されるアーク消去及び電流遮断機器に有用であり得る。
【００４７】
本開示のガスを使用することができる主要なタイプの電気デバイスとしては、ガス絶縁回路遮断器、開閉装置を含む電流遮断設備、ガス絶縁送電線、ガス絶縁変圧器、及びガス絶縁サブステーションが挙げられる。このようなガス絶縁設備は、世界中の送配電システムの主要構成要素である。
【００４８】
いくつかの実施形態において、本開示は、ガス状誘電体が電極間の空間を満たすように互いに離れた金属電極を含む、コンデンサなどの電気デバイスを提供する。電気デバイスの内部空間はまた、液体形態の１つ以上の式（Ｉ）の全フッ素化１−アルコキシプロペン化合物のリザーバを含んでもよい。特定の実施形態において、リザーバは、ガス状形態の１つ以上の式（Ｉ）によって表される全フッ素化１−アルコキシプロペン化合物と平衡状態にある液体形態の１つ以上の式（Ｉ）の全フッ素化１−アルコキシプロペン化合物を含む。したがって、リザーバは、式（Ｉ）のガス状全フッ素化１−アルコキシプロペン化合物のいかなる損失も補い得る。
【００４９】
回路遮断器の場合、このようなガスの熱伝導率及び絶縁耐力は、熱及び誘電回復（抵抗率の増大に対する短時定数）と共に、高い遮断能力を提供することができる。これらの特性は、ガスが、アークの伝導状態（アークプラズマ）と誘電状態との間を迅速に遷移できるようにし、また、それが回復電圧の上昇に耐えることも可能にする。
【００５０】
ガス絶縁変圧器の場合、誘電特性に加えて、熱伝達性能及び現行デバイスとの適合性により、本開示の誘電性流体を、このタイプの電気設備で使用するための望ましい媒体とする。
【００５１】
式（Ｉ）によって表される全フッ素化１−アルコキシプロペン化合物は、油絶縁と比べて際立った利点を有し、これには、火災安全問題又は環境適合性問題のいずれも有さないこと、及び信頼性が高いこと、メンテナンスが殆ど不要であること、有効寿命が長いこと、毒性が低いこと、取り扱いが容易であること、及び設備重量を少なくできることが挙げられる。
【００５２】
ガス絶縁送電線の場合、式（Ｉ）のガス状全フッ素化１−アルコキシプロペン化合物の産業的な条件下での絶縁耐力は重要な場合があり、特に、金属粒子汚染、開閉インパルス及び雷インパルス、並びに高速過渡的な電気応力下でのガス状誘電体の挙動は重要であり得る。式（Ｉ）のガス状全フッ素化１−アルコキシプロペン化合物はまた、導体からエンクロージャへの高い熱伝達効率を有し得、長期間（例えば、４０年）安定であり得る。これらのガス絶縁送電線は、コスト効率、高搬送容量、低損失、全ての定格電圧での利用可能性、火災リスクがないこと、信頼性、及び架空送電線に関する社会的懸念を回避するための密集領域における架空高電圧送電線に対する小型の代替案を含むが、これらに限定されない、明確な利点を提供し得る。
【００５３】
ガス絶縁サブステーションの場合、サブステーション全体（回路遮断器、切断器、接地開閉器、バスバー、変圧器などが相互接続される）は、本開示の誘電性流体で絶縁されてもよく、したがって、上述の全ての誘電性ガスの特性は、重要である。
【００５４】
いくつかの実施形態において、ガス状誘電体は、それ自体ガスとして、又は液体と平衡状態にあるガスとして、電気デバイス内に存在してもよい。これらの実施形態において、液相は、追加の誘電性ガスのリザーバとして機能し得る。
【００５５】
誘電性流体としての式（Ｉ）の全フッ素化１−アルコキシプロペン化合物の使用は、図１の一般的な電気デバイスに示される。図１は、開閉器、遮断器、又は変圧器の巻線などの電気的なハードウェア３と、少なくとも１つの式（Ｉ）のガス状全フッ素化１−アルコキシプロペン化合物と、を収容するタンク又は圧力容器２を含むデバイスを示す。所望により、式（Ｉ）のガス状全フッ素化１−アルコキシプロペン化合物は、リザーバの式（Ｉ）の液体全フッ素化１−アルコキシプロペン化合物と平衡状態にある。
【００５６】
別の態様では、絶縁材料として、少なくとも１つの式（Ｉ）の全フッ素化１−アルコキシプロペン化合物を含む誘電性液体を含む電気デバイスが提供される。本開示の誘電性流体は、誘電性流体を使用する多くの他の用途において有用であり得る。そのような他の用途の例は、米国特許第４，８９９，２４９号（Ｒｅｉｌｌｙら）及び同第３，１８４，５３３号（Ｅｉｓｅｍａｎ，Ｊｒ．）、及び英国特許第１  ２４２  １８０号（Ｓｉｅｍｅｎｓ）に記載されている。
【００５７】
実施形態
実施形態１は、次の一般式（Ｉ）：
【化４】
2021509520.tif 000007
［式中、Ｒｆは、ＣＦ３−又はＣＦ３ＣＦ２−である］によって表される全フッ素化１−アルコキシプロペン化合物を含む誘電性流体を含む、電気デバイスが提供される。
【００５８】
実施形態２は、リザーバを更に備え、このリザーバが、液体形態の式（Ｉ）の全フッ素化１−アルコキシプロペン化合物を含む、実施形態１に記載の電気デバイスである。
【００５９】
実施形態３は、リザーバが、液体形態の１つ以上の式（Ｉ）の全フッ素化１−アルコキシプロペン化合物と平衡状態にあるガス状形態の式（Ｉ）の全フッ素化１−アルコキシプロペン化合物を更に含む、実施形態２に記載の電気デバイスである。
【００６０】
実施形態４は、電気デバイスが、ガス絶縁回路遮断器、電流遮断設備、ガス絶縁送電線、ガス絶縁変圧器、及びガス絶縁サブステーションからなる群から選択される、実施形態１〜３のいずれか１つに記載の電気デバイスである。
【００６１】
実施形態５は、誘電性流体が、ＳＦ６単独の地球温暖化係数よりも低い地球温暖化係数を有するように、誘電性流体が、ＳＦ６を更に含む、実施形態１〜４のいずれか１つに記載の電気デバイスである。
【００６２】
実施形態６は、誘電性流体が、１つ以上の二次誘電性ガスを更に含む、実施形態１〜５のいずれか１つに記載の電気デバイスである。
【００６３】
実施形態７は、１つ以上の二次誘電性ガスが、２５℃おいて、蒸気圧が少なくとも７０ｋＰａであるような量で使用される、実施形態６に記載の電気デバイスである。
【００６４】
実施形態８は、１つ以上の二次誘電性ガスが０℃未満の沸点を有する、実施形態６又は７に記載の電気デバイスである。
【００６５】
実施形態９は、１つ以上の二次誘電性ガスが、１つ以上のフッ素化有機化合物を含む、実施形態６〜８のいずれか１つに記載の電気デバイスである。
【００６６】
実施形態１０は、フッ素化有機化合物が、ペルフルオロアルカン、フッ素化オレフィン、フッ素化ケトン、フッ素化ニトリル、フッ素化ニトロアルカン、フッ素化ジオン、フッ素化オキシラン、又はこれらの組み合わせを含む、実施形態９に記載の電気デバイスである。
【００６７】
実施形態１１は、１つ以上の二次誘電性ガスが、窒素、二酸化炭素、亜酸化窒素、ヘリウム、アルゴン、酸素、及びこれらの組み合わせ（例えば、空気）から選択される、実施形態６〜８のいずれか１つに記載の電気デバイスである。
【００６８】
実施形態１２は、二次誘電性ガスと、式（Ｉ）の全フッ素化１−アルコキシプロペン化合物との蒸気圧の比が、少なくとも２．５：１（少なくとも５：１、又は少なくとも約１０：１）である、実施形態６〜１１のうちのいずれか１つに記載の電気デバイスである。
【００６９】
実施形態１３は、式（Ｉ）の化合物が、トランス配置、シス配置、又はこれらの混合である、実施形態１〜１２のいずれか１つに記載の電気デバイスである。
【００７０】
実施形態１４は、少なくとも一部がトランス配置であり、少なくとも一部がシス配置である、式（Ｉ）の化合物の混合物を含む、実施形態１３に記載の電気デバイスである。
【００７１】
実施形態１５は、式（Ｉ）の化合物が、５００未満（２５０未満、１００未満、５０未満、又は更には２０未満）のＧＷＰを有する、実施形態１〜１４のいずれか１つに記載の電気デバイスである。
【００７２】
実施形態１６は、式（Ｉ）の化合物が、０℃〜３５℃の範囲の沸点を有する、実施形態１〜１５のいずれか１つに記載の電気デバイスである。
【００７３】
実施形態１７は、式（Ｉ）の化合物が、ＣＦ３−Ｏ−ＣＦ＝ＣＦ−ＣＦ３である、実施形態１〜１６のいずれか１つに記載の電気デバイスである。
【００７４】
実施形態１８は、式（Ｉ）の化合物が、ＣＦ３ＣＦ２−Ｏ−ＣＦ＝ＣＦ−ＣＦ３である、実施形態１〜１６のいずれか１つに記載の電気デバイスである。
【００７５】
実施形態１９は、次の式（Ｉ）：
【化５】
2021509520.tif 000008
［式中、Ｒｆは、ＣＦ３−又はＣＦ３ＣＦ２−である］によって表される全フッ素化１−アルコキシプロペン化合物と、１つ以上の二次誘電性ガスと、を含む、誘電性流体である。
【００７６】
実施形態２０は、１つ以上の二次誘電性ガスが、２５℃おいて、蒸気圧が少なくとも７０ｋＰａであるような量で使用される、実施形態１９に記載の誘電性流体である。
【００７７】
実施形態２１は、１つ以上の二次誘電性ガスが０℃未満の沸点を有する、実施形態１９又は２０に記載の誘電性流体である。
【００７８】
実施形態２２は、１つ以上の二次誘電性ガスが、１つ以上のフッ素化有機化合物を含む、実施形態１９〜２１のいずれか１つに記載の誘電性流体である。
【００７９】
実施形態２３は、フッ素化有機化合物が、ペルフルオロアルカン、フッ素化オレフィン、フッ素化ケトン、フッ素化オキシラン、又はこれらの組み合わせを含む、実施形態２２に記載の誘電性流体である。
【００８０】
実施形態２４は、１つ以上の二次誘電性ガスが、窒素、二酸化炭素、亜酸化窒素、ヘリウム、アルゴン、酸素、及びこれらの組み合わせ（例えば、空気）から選択される、実施形態１９〜２１のいずれか１つに記載の誘電性流体である。
【００８１】
実施形態２５は、二次誘電性ガスと、式（Ｉ）の全フッ素化１−アルコキシプロペン化合物との蒸気圧の比が、少なくとも２．５：１（少なくとも５：１、又は少なくとも約１０：１）である、実施形態１９〜２４のうちのいずれか１つに記載の誘電性流体である。
【００８２】
実施形態２６は、式（Ｉ）の化合物が、トランス配置、シス配置、又はこれらの混合である、実施形態１９〜２５のうちのいずれか１つに記載の誘電性流体である。
【００８３】
実施形態２７は、少なくとも一部がトランス配置であり、少なくとも一部がシス配置である、式（Ｉ）の化合物の混合物を含む、実施形態２６に記載の誘電性流体である。
【００８４】
実施形態２８は、式（Ｉ）の化合物が、５００未満（２５０未満、１００未満、５０未満、又は更には２０未満）のＧＷＰを有する、実施形態１９〜２７のいずれか１つに記載の誘電性流体である。
【００８５】
実施形態２９は、式（Ｉ）の化合物が、０℃〜３５℃の範囲の沸点を有する、実施形態１９〜２８のいずれか１つに記載の誘電性流体である。
【００８６】
実施形態３０は、式（Ｉ）の化合物が、ＣＦ３−Ｏ−ＣＦ＝ＣＦ−ＣＦ３である、実施形態１９〜２９のいずれか１つに記載の誘電性流体である。
【００８７】
実施形態３１は、式（Ｉ）の化合物が、ＣＦ３ＣＦ２−Ｏ−ＣＦ＝ＣＦ−ＣＦ３である、実施形態１９〜２９のいずれか１つに記載の誘電性流体である。
【００８８】
実施形態３２は、式（Ｉ）によって表される全フッ素化１−アルコキシプロペン化合物が、より低い蒸気圧を有する１つ以上の二次誘電性ガスと組み合わされる、実施形態１９〜２９のいずれか１つに記載の誘電性流体である。
【００８９】
実施形態３３は、１つ以上の二次誘電性ガスが、５０モル％以上の流体を含む、実施形態１９〜２９のいずれか１つに記載の誘電性流体である。
【実施例】
【００９０】
本開示の目的及び利点を以下の実施例によって更に例示するが、これらの実施例に記載の特定の材料及びそれらの量並びに他の条件及び詳細は、本開示を不当に限定するものと解釈してはならない。別途断りのない限り、実施例及び明細書のその他の部分における、全ての部、百分率、比などは重量によるものであり、実施例で用いた全ての試薬は、一般的な化学物質供給元、例えば、Ｓｉｇｍａ−Ａｌｄｒｉｃｈ（Ｓａｉｎｔ  Ｌｏｕｉｓ，ＭＯ）などから入手したもの、若しくは、入手可能なものであるか、又は、通常の方法によって合成することができる。この項では以下の略称を使用する：ｍＬ＝ミリリットル、ｈ＝時間、ｇ＝グラム、ｍｍｏｌ＝ミリモル、℃＝摂氏度、ｍｍ＝ミリメートル、ＮＭＲ＝核磁気共鳴、ＧＣ−ＭＳ＝クロマトグラフィー質量分析、ｍｍ／Ｈｇ＝水銀柱ミリメートル、ｋＰａ＝キロパスカル、ｋＶ＝キロボルト。このセクションで使用される材料の略語、並びに材料の説明を表１に示す。
【００９１】
【表１】
2021509520.tif 000009
【００９２】
準備的実施例１（ＰＥ−１）：ＡｌＣｌ３触媒による１，１，２，３，３−ペンタフルオロ−３−（ペルフルオロエトキシ）プロパ−１−エン（ＭＡ−２）の異性化による１，２，３，３，３−ペンタフルオロ−１−（ペルフルオロエトキシ）プロパ−１−エン（ＭＰ−２）の選択的調製
電磁撹拌棒を備えた４０ｍＬバイアル瓶に、ＡｌＣｌ３（１．１ｇ、８．２ｍｍｏｌ）及びＭＡ−２（２０．０ｇ、７５．２ｍｍｏｌ）を入れた。バイアル瓶に蓋をし、５０℃で１６時間撹拌した。得られた反応混合物をセライトパッドでろ過し、ろ液をＧＣ−ＦＩＤによって分析すると、ＭＡ−２出発物質の９９％を超える変換率を示した。次いで、得られた生成物混合物を、同心管蒸留（３３℃、７４０ｍｍ／Ｈｇ（９８．７ｋＰａ））により精製して、無色液体として所望のＭＰ−２（１７．１ｇ、８６％の単離収率）を得た。ＧＣ／ＭＳ及び１９Ｆ  ＮＭＲ分析によって、構造が所望の化合物の構造であることを確認した。
【００９３】
準備的実施例２（ＰＥ−２）：ＡｌＣｌ３触媒による１，１，２，３，３−ペンタフルオロ−３−（ペルフルオロメトキシ）プロパ−１−エン（ＭＡ−１）の異性化による１，２，３，３，３−ペンタフルオロ−１−（ペルフルオロメトキシ）プロパ−１−エン（ＭＰ−１）の選択的調製
オーバーヘッド撹拌機を備えた６００ｍＬステンレス鋼反応器に、ＡｌＣｌ３（２．３ｇ、１７ｍｍｏｌ）を入れた。反応容器を密封し、減圧下で排気した後、ＭＡ−１（９６ｇ、４４４ｍｍｏｌ）を添加し、続いて５０℃で一晩撹拌した。次いで、ヘッドスペースを通気し、ドライアイス／アセトン浴（−７８℃）中に浸漬されたステンレス鋼シリンダ内に濃縮した。同心管蒸留によって、ＭＰ−１（１０℃未満の沸点、７９．３ｇ、８３％の単離収率）を得た。ＧＣ／ＭＳによって、構造が所望の化合物の構造であることを確認した。
【００９４】
実施例１及び２（ＥＸ−１及びＥＸ−２）並びに反例１、２、及び３（ＣＥ−１、ＣＥ−２、及びＣＥ−３）：絶縁破壊電圧測定
ＰＥ−１、ＰＥ−２、ＣＥ−１、ＣＥ−２、及びＣＥ−３のガス状絶縁破壊電圧を、低圧ガスで測定できるように変更されたＨｉｐｏｔｒｏｎｉｃｓ  ＯＣ６０Ｄ−Ａ絶縁耐力試験機（Ｈｉｐｏｔｒｏｎｉｃｓ（Ｂｒｅｗｓｔｅｒ，ＮＹ，ＵＳＡ）から入手可能）を使用して実験的に測定した。電極構成は、気密性ＰＦＴＥ（ポリテトラフルオロエチレン）試験チャンバ内に収容された０．１インチ（２．５ｍｍ）の間隙によって分離された２つの銅電極からなる。試験チャンバを最初に排気し、次いでＰＥ−１、ＰＥ−２、ＣＥ−１、ＣＥ−２、又はＣＥ−３を、全蒸気圧まで充填し、表２及び表３に示される測定圧力まで排気した。絶縁破壊電圧（ｋＶで測定）を、各排気後に測定して、絶縁耐力を決定し、結果を表２及び表３にまとめる。
【００９５】
【表２】
2021509520.tif 000010
【００９６】
【表３】
2021509520.tif 000011
【００９７】
表２及び表３の絶縁破壊電圧値は、ＰＥ−１及びＰＥ−２が優れた電気絶縁体及び遮断体であることを示す。驚くべきことに、ＰＥ−１及びＰＥ−２の絶縁破壊電圧は、それらが、関連するペルフルオロオレフィン（ＨＦＰ、ＣＥ−１）、広く使用されているＳＦ６（ＣＥ−２）、及びペルフルオロカーボン（ペルフルオロシクロプロパン、ＣＥ−３）より性能が優れ得ることを示す。
【００９８】
本明細書に引用した特許、特許文献、及び刊行物の全開示は、それぞれが個別に組み込まれたかのごとく、それらの全体が参照により組み込まれる。本明細書の記載と、参照によって本明細書に組み込んだいずれかの文書の開示との間に何らかの矛盾又は不一致が存在する場合、本明細書の記載が優先するものとする。当業者には、本開示の範囲及び趣旨から逸脱することのない、本開示に対する様々な改変及び変更が明らかとなるであろう。本開示は、本明細書に記載した例示的な実施形態及び実施例によって不当に制限されることは意図していないこと、並びにそのような実施例及び実施形態は、以下のような本明細書に記載の特許請求の範囲によってのみ限定されることを意図した本開示の範囲内の例示としてのみ提示されることを理解されたい。
【図１】
2021509520.tif 000015
【国際調査報告】
2021509520.tif 000016
2021509520.tif 000017